(57)【要約】【課題】リモコン付イヤホンによって生成されたトリガ信号を無線伝送することができるブルートゥース送受信機、リモコン付イヤホンモジュール及び携帯装置モジュールを提供することを課題とする。【解決手段】本発明に係るブルートゥース送受信機は、リモコン付イヤホンと組み合わせて使用するのに適用される。リモコン付イヤホンは、信号線と、少なくとも１つのスピーカと、プラグと、ブルートゥース無線通信機能を有する携帯装置を操作制御することができるように、トリガ信号を生成するのに用いられる操作インターフェースとを含む。ブルートゥース送受信機は、イヤホンジャック、処理ユニット及びブルートゥースモジュールを含む。処理ユニットと電気的に接続されており、処理ユニットからの制御指令を受信すると共に、携帯装置に対応する機能を実行させるように制御指令を携帯装置に無線伝送するのに用いられる。【選択図】図１
2015139215.tif 000002
【特許請求の範囲】
【請求項１】
信号線と、少なくとも１つのスピーカと、プラグと、前記信号線を介してそれぞれ前記スピーカ及び前記プラグと電気的に接続されており、ブルートゥース無線通信機能を有する携帯装置を操作制御することができるように、トリガ信号を生成するのに用いられる操作インターフェースと、を含むリモコン付イヤホンと組み合わせて使用するのに適用されるブルートゥース送受信機であって、
前記ブルートゥース送受信機を前記リモコン付イヤホンに電気的に接続させるように前記リモコン付イヤホンの前記プラグを挿入させるのに用いられるイヤホンジャックと、
前記トリガ信号を受信して復号化することで制御コードを生成し、ルックアップテーブルに基づいて前記制御コードに対応する制御指令を選択するのに用いられる処理ユニットと、
前記処理ユニットと電気的に接続されており、前記制御指令を受信すると共に、前記携帯装置に対応する機能を実行させるように前記制御指令を前記携帯装置に無線伝送するのに用いられるブルートゥースモジュールと、
を含むことを特徴とするブルートゥース送受信機。
【請求項２】
前記リモコン付イヤホンは、前記信号線を介してそれぞれ前記スピーカ及び前記プラグと電気的に接続されており、外部入力音声を受信するのに用いられる集音部を更に含むことを特徴とする請求項１に記載のブルートゥース送受信機。
【請求項３】
前記外部入力音声を受信して符号化すると共に、生成したデジタル音声信号を前記ブルートゥースモジュールに出力するのに用いられるコーデックユニットを更に含み、
前記ブルートゥースモジュールは、前記デジタル音声信号を前記携帯装置に無線伝送することを特徴とする請求項２に記載のブルートゥース送受信機。
【請求項４】
前記ブルートゥースモジュールは、前記携帯装置から無線伝送されたオーディオ信号を受信すると共に、受信した前記オーディオ信号を前記コーデックユニットに伝送することを特徴とする請求項１に記載のブルートゥース送受信機。
【請求項５】
前記コーデックユニットは、前記オーディオ信号を受信した後、前記オーディオ信号を復号化することでステレオオーディオ信号を生成すると共に、オーディオ再生を行うように生成したステレオオーディオ信号を前記リモコン付イヤホンの前記スピーカに出力することを特徴とする請求項４に記載のブルートゥース送受信機。
【請求項６】
前記ブルートゥース送受信機のオンオフを制御するのに用いられる電源スイッチを更に含むことを特徴とする請求項１に記載のブルートゥース送受信機。
【請求項７】
前記ブルートゥース送受信機の表面に設けられており、前記リモコン付イヤホンの前記信号線を収納するのに用いられるコード巻取部を更に含むことを特徴とする請求項１に記載のブルートゥース送受信機。
【請求項８】
前記ルックアップテーブルは複数の識別コードを更に含み、
前記処理ユニットは、前記トリガ信号を受信した後、前記識別コードを照合すると共に、対応する前記制御指令を出力することを特徴とする請求項１に記載のブルートゥース送受信機。
【請求項９】
信号線と、少なくとも１つのスピーカと、プラグと、前記信号線を介してそれぞれ前記スピーカ及び前記プラグと電気的に接続されており、ブルートゥース無線通信機能を有する携帯装置を操作制御することができるように、トリガ信号を生成するのに用いられる操作インターフェースと、を含むリモコン付イヤホンと、
ブルートゥース送受信機を前記リモコン付イヤホンに電気的に接続させるように前記リモコン付イヤホンの前記プラグを挿入させるのに用いられるイヤホンジャックと、前記トリガ信号を受信して復号化することで制御コードを生成し、ルックアップテーブルに基づいて前記制御コードに対応する制御指令を選択するのに用いられる処理ユニットと、前記処理ユニットと電気的に接続されており、前記制御指令を受信すると共に、前記携帯装置に対応する機能を実行させるように前記制御指令を前記携帯装置に無線伝送するのに用いられるブルートゥースモジュールと、を含むブルートゥース送受信機と、
を含むことを特徴とするリモコン付イヤホンモジュール。
【請求項１０】
前記リモコン付イヤホンは、前記信号線を介してそれぞれ前記スピーカ及び前記プラグと電気的に接続されており、外部入力音声を受信するのに用いられる集音部を更に含むことを特徴とする請求項９に記載のリモコン付イヤホンモジュール。
【請求項１１】
前記ブルートゥース送受信機は、前記外部入力音声を受信して符号化すると共に、生成したデジタル音声信号を前記ブルートゥースモジュールに出力するのに用いられるコーデックユニットを更に含み、
前記ブルートゥースモジュールは、前記デジタル音声信号を前記携帯装置に無線伝送することを特徴とする請求項１０に記載のリモコン付イヤホンモジュール。
【請求項１２】
前記ブルートゥースモジュールは、前記携帯装置から無線伝送されたオーディオ信号を受信すると共に、受信した前記オーディオ信号を前記コーデックユニットに伝送することを特徴とする請求項９に記載のリモコン付イヤホンモジュール。
【請求項１３】
前記コーデックユニットは、前記オーディオ信号を受信した後、前記オーディオ信号を復号化することでステレオオーディオ信号を生成すると共に、オーディオ再生を行うように生成したステレオオーディオ信号を前記リモコン付イヤホンの前記スピーカに出力することを特徴とする請求項１２に記載のリモコン付イヤホンモジュール。
【請求項１４】
前記ブルートゥース送受信機は、前記ブルートゥース送受信機のオンオフを制御するのに用いられる電源スイッチを更に含むことを特徴とする請求項９に記載のリモコン付イヤホンモジュール。
【請求項１５】
前記ブルートゥース送受信機は、前記ブルートゥース送受信機の表面に設けられており、前記リモコン付イヤホンの前記信号線を収納するのに用いられるコード巻取部を更に含むことを特徴とする請求項９に記載のリモコン付イヤホンモジュール。
【請求項１６】
前記ルックアップテーブルは複数の識別コードを更に含み、
前記処理ユニットは、前記トリガ信号を受信した後、前記識別コードを照合すると共に、対応する前記制御指令を出力することを特徴とする請求項９に記載のリモコン付イヤホンモジュール。
【請求項１７】
ブルートゥース無線通信機能を有する携帯装置と、
信号線と、少なくとも１つのスピーカと、プラグと、前記信号線を介してそれぞれ前記スピーカ及び前記プラグと電気的に接続されており、前記携帯装置を操作制御することができるように、トリガ信号を生成するのに用いられる操作インターフェースと、を含むリモコン付イヤホンと、
ブルートゥース送受信機を前記リモコン付イヤホンに電気的に接続させるように前記リモコン付イヤホンの前記プラグを挿入させるのに用いられるイヤホンジャックと、前記トリガ信号を受信して復号化することで制御コードを生成し、ルックアップテーブルに基づいて前記制御コードに対応する制御指令を選択するのに用いられる処理ユニットと、前記処理ユニットと電気的に接続されており、前記制御指令を受信すると共に、前記携帯装置に対応する機能を実行させるように前記制御指令を前記携帯装置に無線伝送するのに用いられるブルートゥースモジュールと、を含むブルートゥース送受信機と、
を含むことを特徴とする携帯装置モジュール。
【請求項１８】
前記リモコン付イヤホンは、前記信号線を介してそれぞれ前記スピーカ及び前記プラグと電気的に接続されており、外部入力音声を受信するのに用いられる集音部を更に含むことを特徴とする請求項１７に記載の携帯装置モジュール。
【請求項１９】
前記ブルートゥース送受信機は、前記外部入力音声を受信して符号化すると共に、生成したデジタル音声信号を前記ブルートゥースモジュールに出力するのに用いられるコーデックユニットを更に含み、
前記ブルートゥースモジュールは、前記デジタル音声信号を前記携帯装置に無線伝送することを特徴とする請求項１８に記載の携帯装置モジュール。
【請求項２０】
前記ブルートゥースモジュールは、前記携帯装置から無線伝送されたオーディオ信号を受信すると共に、受信した前記オーディオ信号を前記コーデックユニットに伝送することを特徴とする請求項１７に記載の携帯装置モジュール。
【請求項２１】
前記コーデックユニットは、前記オーディオ信号を受信した後、前記オーディオ信号を復号化することでステレオオーディオ信号を生成すると共に、オーディオ再生を行うように生成したステレオオーディオ信号を前記リモコン付イヤホンの前記スピーカに出力することを特徴とする請求項２０に記載の携帯装置モジュール。
【請求項２２】
前記ブルートゥース送受信機は、前記ブルートゥース送受信機のオンオフを制御するのに用いられる電源スイッチを更に含むことを特徴とする請求項１７に記載の携帯装置モジュール。
【請求項２３】
前記ブルートゥース送受信機は、前記ブルートゥース送受信機の表面に設けられており、前記リモコン付イヤホンの前記信号線を収納するのに用いられるコード巻取部を更に含むことを特徴とする請求項１７に記載の携帯装置モジュール。
【請求項２４】
前記ルックアップテーブルは複数の識別コードを更に含み、
前記処理ユニットは、前記トリガ信号を受信した後、前記識別コードを照合すると共に、対応する前記制御指令を出力することを特徴とする請求項１７に記載の携帯装置モジュール。
【発明の詳細な説明】
【技術分野】
【０００１】
本発明は、ブルートゥース送受信機に関し、特に携帯装置を操作制御することができるように、リモコン付イヤホン（又はリモコン付ヘッドホン）によって生成されたトリガ信号を無線伝送することができるブルートゥース送受信機に関する。
【背景技術】
【０００２】
近年、インターネット及び無線通信技術の急速な発展に伴い、無線通信は一般生活において益々重要な役割を果たしている。特にブルートゥース無線通信技術は、例えばスマートフォン、タブレットＰＣ及びノートパソコンといった携帯装置に幅広く適用されている。
【０００３】
ブルートゥース無線通信技術は、低出力且つ短距離の無線伝送技術であり、有線の伝送線路（例えば電線又はケーブルなど）を一切必要とすることなく、各種デジタル機器を接続することができるため、携帯電話及びその周辺機器における相互接続の不便性を解決することが可能である。ブルートゥース無線通信技術は、コードレスイヤホン（即ち耳かけ型ブルートゥースイヤホン）に比較的広く適用され、コードレスイヤホンと携帯装置との間の無線伝送媒介として用いられている。これにより、使用者は、使用する際にイヤホンの信号線の長さに制限されて不便を感じることがなくなっている。
【０００４】
しかしながら、一般的な耳かけ型ブルートゥースイヤホンはモノラルにしか適用されておらず、使用者が良好な音楽再生品質を享受できない問題があった。そこで市場においては、左右のサウンドチャネルを有する有線イヤホンが挿入接続されるためのブルートゥースメディア受信機が販売されている。使用者は、ブルートゥースメディア受信機上のボタンを押すことによって、携帯装置を無線リモートコントロールして音量の調整、電話に出ること及び電話を切ること、並びに音楽の再生及び一時停止等の機能を実行することができる。しかしながら、ブルートゥースメディア受信機に挿入接続された有線イヤホンがリモコン付イヤホンであった場合、使用者は、使用時にブルートゥースメディア受信機に設けられたボタンを押すことでしか携帯装置を操作することができないため、リモコン付イヤホンにおけるボタンを用いて携帯装置を操作することができない。そのため、使用者は、ブルートゥースメディア受信機によって有線の束縛から解放されて良好な音楽再生品質を享受することはできるようになったものの、ブルートゥースメディア受信機の使用方法を一から習得しなければならず、使い慣れたリモコン付イヤホンにおける操作ボタンを放棄しなければならないという問題があった。
【発明の概要】
【発明が解決しようとする課題】
【０００５】
本発明は、携帯装置を操作制御することができるように、リモコン付イヤホンによって生成されたトリガ信号を無線伝送することができるブルートゥース送受信機、リモコン付イヤホンモジュール及び携帯装置モジュールに関する。
【課題を解決するための手段】
【０００６】
本発明に係るブルートゥース送受信機は、リモコン付イヤホンと組み合わせて使用するのに適用される。リモコン付イヤホンは、信号線と、少なくとも１つのスピーカと、プラグと、信号線を介してそれぞれスピーカ及びプラグと電気的に接続されており、ブルートゥース無線通信機能を有する携帯装置を操作制御することができるように、トリガ信号を生成するのに用いられる操作インターフェースとを含む。ブルートゥース送受信機は、イヤホンジャック、処理ユニット及びブルートゥースモジュールを含む。イヤホンジャックは、ブルートゥース送受信機をリモコン付イヤホンに電気的に接続させるようにリモコン付イヤホンのプラグを挿入させるのに用いられる。処理ユニットは、トリガ信号を受信して復号化することで制御コードを生成し、ルックアップテーブルに基づいて制御コードに対応する制御指令を選択するのに用いられる。ブルートゥースモジュールは、処理ユニットと電気的に接続されており、制御指令を受信すると共に、携帯装置に対応する機能を実行させるように制御指令を携帯装置に無線伝送するのに用いられる。
【０００７】
本発明の１つの実施例において、リモコン付イヤホンは、信号線を介してそれぞれスピーカ及びプラグと電気的に接続されており、外部入力音声を受信するのに用いられる集音部を更に含む。
【０００８】
本発明の１つの実施例において、ブルートゥース送受信機はコーデックユニットを更に含む。コーデックユニットは、外部入力音声を受信して符号化すると共に、生成したデジタル音声信号をブルートゥースモジュールに出力するのに用いられる。ブルートゥースモジュールは、デジタル音声信号を携帯装置に無線伝送する。
【０００９】
本発明の１つの実施例において、ブルートゥースモジュールは、更に携帯装置から無線伝送されたオーディオ信号を受信すると共に、受信したオーディオ信号をコーデックユニットに伝送する。
【００１０】
本発明の１つの実施例において、コーデックユニットは、オーディオ信号を受信した後、オーディオ信号を復号化することでステレオオーディオ信号を生成すると共に、オーディオ再生を行うように生成したステレオオーディオ信号をリモコン付イヤホンのスピーカに出力する。
【００１１】
本発明の１つの実施例において、ブルートゥース送受信機は電源スイッチを更に含む。電源スイッチは、ブルートゥース送受信機のオンオフを制御するのに用いられる。
【００１２】
本発明の１つの実施例において、ブルートゥース送受信機はコード巻取部を更に含む。コード巻取部は、ブルートゥース送受信機の表面に設けられており、リモコン付イヤホンの信号線を収納するのに用いられる。
【００１３】
本発明の１つの実施例において、ルックアップテーブルは複数の識別コードを更に含む。処理ユニットは、トリガ信号を受信した後、識別コードを照合すると共に、対応する制御指令を出力する。
【００１４】
本発明に係るリモコン付イヤホンモジュールは、リモコン付イヤホン及びブルートゥース送受信機を含む。リモコン付イヤホンは、信号線と、少なくとも１つのスピーカと、プラグと、信号線を介してそれぞれスピーカ及びプラグと電気的に接続されており、ブルートゥース無線通信機能を有する携帯装置を操作制御することができるように、トリガ信号を生成するのに用いられる操作インターフェースとを含む。ブルートゥース送受信機は、イヤホンジャック、処理ユニット及びブルートゥースモジュールを含む。イヤホンジャックは、ブルートゥース送受信機をリモコン付イヤホンに電気的に接続させるようにリモコン付イヤホンのプラグを挿入させるのに用いられる。処理ユニットは、トリガ信号を受信して復号化することで制御コードを生成し、ルックアップテーブルに基づいて制御コードに対応する制御指令を選択するのに用いられる。ブルートゥースモジュールは、処理ユニットと電気的に接続されており、制御指令を受信すると共に、携帯装置に対応する機能を実行させるように制御指令を携帯装置に無線伝送するのに用いられる。
【００１５】
本発明に係る携帯装置モジュールは、携帯装置、リモコン付イヤホン及びブルートゥース送受信機を含む。携帯装置はブルートゥース無線通信機能を有する。リモコン付イヤホンは、信号線と、少なくとも１つのスピーカと、プラグと、信号線を介してそれぞれスピーカ及びプラグと電気的に接続されており、ブルートゥース無線通信機能を有する携帯装置を操作制御することができるように、トリガ信号を生成するのに用いられる操作インターフェースとを含む。ブルートゥース送受信機は、イヤホンジャック、処理ユニット及びブルートゥースモジュールを含む。イヤホンジャックは、ブルートゥース送受信機をリモコン付イヤホンに電気的に接続させるようにリモコン付イヤホンのプラグを挿入させるのに用いられる。処理ユニットは、トリガ信号を受信して復号化することで制御コードを生成し、ルックアップテーブルに基づいて制御コードに対応する制御指令を選択するのに用いられる。ブルートゥースモジュールは、処理ユニットと電気的に接続されており、制御指令を受信すると共に、携帯装置に対応する機能を実行させるように制御指令を携帯装置に無線伝送するのに用いられる。
【発明の効果】
【００１６】
このように、本発明に係るブルートゥース送受信機、リモコン付イヤホンモジュール及び携帯装置モジュールでは、ブルートゥース送受信機の処理ユニットがルックアップテーブルを照合することにより、トリガ信号に対応する制御指令を出力すると共に、携帯装置に対応する機能を実行させるように、制御指令をブルートゥース送受信機のブルートゥースモジュールを介して携帯装置に無線伝送する。そのため、本発明に係るブルートゥース送受信機、リモコン付イヤホンモジュール及び携帯装置モジュールによって、使用者は、有線の束縛から解放されるのみならず、既存のリモコン付イヤホンにおける操作ボタンを引き続き使用することができ、本発明に係るブルートゥース送受信機の使用方法を一から習得することを必要としない。同時に、本発明に係るブルートゥース送受信機は、操作ボタンを設ける必要がないため、従来のブルートゥースメディア受信機に比べて、製造コストが相対的に低い。
【図面の簡単な説明】
【００１７】
【図１】本発明の実施例に係るブルートゥース送受信機の適用を示した図である。
【図２】本発明の実施例に係るブルートゥース送受信機を示したブロック図である。
【図３】本発明の他の実施例に係るブルートゥース送受信機の適用を示した図である。
【図４】図３の実施例におけるコード巻取部によってリモコン付イヤホンの信号線が収納されることを示した図である。
【図５】本発明の実施例に係るリモコン付イヤホンモジュールを示した図である。
【図６】本発明の実施例に係る携帯装置モジュールを示した図である。
【発明を実施するための形態】
【００１８】
本発明の特徴及び技術内容をより深く理解することができるように、以下、図面を参照しながら詳細に説明する。但し、これらの説明及び図面は本発明に関する説明の便宜上用いるものに過ぎず、本発明の特許請求の範囲を何ら制限するものではない。
【００１９】
以下の説明及び参照する図面において、本発明をより詳しく記述するための例示的実施例を開示するが、本発明の概念は、様々な異なる形式によって実現することが可能であり、本願明細書において説明する例示的実施例に限定されない。確実に言えることは、これら例示的実施例を提供することによって、本発明が詳細且つ完全なものとなり、当業者に対して十分に本発明の概念の範疇を伝えることができることである。各図面において、明瞭となるように層又は領域の大きさ又は相対的な大きさを誇張して示す。類似の数字は一貫して類似の素子を示す。
【００２０】
本願明細書において、「第１の」、「第２の」、「第３の」といった用語を用いて各種素子を説明するが、これらの素子はこれらの用語に制限されない。これらの用語はある素子と他の素子とを区別するのに用いられる。従って、以下に述べる第１の素子は、第２の素子と呼ぶことが可能であり、本発明の概念の教示から逸脱するものではない。本願明細書において使用されるように、用語である「及び／又は」は、列挙された関連項目のいずれか１つ又は１つ若しくは複数のあらゆる組み合わせを含む。
【００２１】
以下、上述したブルートゥース送受信機及びその制御方法について、複数の実施例によって図面を参照しながらを説明する。しかしながら、以下の実施例は本発明を制限するものではない。
【００２２】
＜ブルートゥース送受信機の実施例＞
図１を用いて説明する。図１は、本発明の実施例に係るブルートゥース送受信機の適用を示した図である。図１に示すように、ブルートゥース送受信機１１０にはイヤホンジャック１１１、電源スイッチ１１２及びＵＳＢ充電ジャック（図示せず）が設けられている。イヤホンジャック１１１はリモコン付イヤホン（又はリモコン付ヘッドホン）１２０を挿入接続させるのに用いられる。電源スイッチ１１２は、ブルートゥース送受信機１１０を対応的にオン又はオフすることができるように、使用者が押すのに用いられる。ＵＳＢ充電ジャックは、ブルートゥース送受信機１１０を充電することができるように、直流供給電源を接続するのに用いられる。リモコン付イヤホン１２０は、少なくとも１つのスピーカ１２１、集音部１２２、操作インターフェース１２３、プラグ１２４及び信号線１２５を含む。実際の適用において、集音部１２２は、信号線１２５を介してそれぞれスピーカ１２１及びプラグ１２４と電気的に接続されており、使用者の声を受信するのに用いられるマイクロホンであってもよい。操作インターフェース１２３は、信号線１２５を介してそれぞれスピーカ１２１及びプラグ１２４と電気的に接続されており、電話に出ること及び電話を切ること、音楽の再生及び一時停止、並びに音量の調整等の機能を対応的に実行するよう携帯装置１３０を制御するのに用いられる複数のボタン又はノブであってもよい。プラグ１２４は、ブルートゥース送受信機をリモコン付イヤホンに電気的に接続させるように、イヤホンジャック１１１に挿入接続されるのに用いられる。また、携帯装置１３０は、例えばスマートフォン、タブレットＰＣ又はノートパソコンであってもよい。
【００２３】
本実施例において、プラグ１２４がイヤホンジャック１１１に挿入接続されると（仮にブルートゥース送受信機１１０が予め携帯装置１３０とペアリングされている場合）、使用者は、リモコン付イヤホン１２０の操作インターフェース１２３を押すことによって、対応する機能を実行させるよう携帯装置１３０を無線リモートコントロールすることができる。対応する機能としては、例えば、電話に出ること及び電話を切ること、音楽の再生及び一時停止、並びに音量の調整等の機能が挙げられる。また、使用者が操作インターフェース１２３を介して電話に出るよう携帯装置１３０を制御した場合、使用者は、電話をかけてきた相手と集音部１２２を介して通話することができる。
【００２４】
本発明に係る上述したブルートゥース送受信機１１０の作動原理を更に詳しく説明するために、図１と図２を併用して説明する。図２は、本発明の実施例に係るブルートゥース送受信機を示したブロック図である。図２に示すように、ブルートゥース送受信機１１０は、ブルートゥースモジュール２１１、処理ユニット２１２及びコーデックユニット２１３を含む。ブルートゥースモジュール２１１は、処理ユニット２１２及びコーデックユニット２１３と電気的に接続される。ブルートゥースモジュール２１１は、携帯装置１３０から無線伝送されたオーディオ信号を受信するのに用いられる。処理ユニット２１２は、操作インターフェース１２３によって生成されたトリガ信号ＣＶを受信して復号化することで制御コードを生成すると共に、制御コードに基づいてルックアップテーブルから対応する制御指令を選択するのに用いられる。当該制御指令は、ブルートゥースモジュール２１１を介して携帯装置１３０に無線伝送される。コーデックユニット２１３は、集音部１２２から伝送された外部入力音声ＶＳを受信して符号化すると共に、ブルートゥースモジュール２１１から伝送されたオーディオ信号を受信して復号化するのにも用いられる。
【００２５】
更に言えば、本実施例において、処理ユニット２１２は、使用者が操作インターフェース１２３を使用した際に生成されたトリガ信号ＣＶを受信するのに用いられる。処理ユニット２１２は、トリガ信号ＣＶを受信した後、トリガ信号ＣＶを復号化して対応する制御コードを生成する。本実施例において、ルックアップテーブルは、処理ユニット２１２の記憶媒体（表示せず）に内蔵されており、それぞれ複数の制御指令に対応する複数の識別コード（異なるメーカーのリモコン付イヤホンを識別するのに用いられる）を有する。更に言えば、処理ユニット２１２は、トリガ信号ＣＶを復号化して制御コードを生成した後、生成した制御コードに基づいてルックアップテーブル内の識別コードを選択し、次いで選択した識別コードに基づいて、復号化された制御コードに対応する制御指令を選択する。その後、処理ユニット２１２は、選択した制御指令をブルートゥースモジュール２１１に伝送する。これにより、ブルートゥースモジュール２１１は、携帯装置１３０に対応する機能（例えば、電話に出ること、電話を切ること、音楽の再生、音楽の一時停止及び音量の調整等の機能）を実行させるように、受信した制御指令を携帯装置１３０に無線伝送する。
【００２６】
例えば、仮にリモコン付イヤホン１２０がメーカーＡによって製造されたリモコン付イヤホンであり、リモコン付イヤホン１２０の操作インターフェース１２３が市場で一般的なリモコン装置即ち音量「＋」キー、音量「−」キー及び中央ボタンである場合、使用者が操作インターフェース１２３の音量「＋」キーを押すと、処理ユニット２１２は対応するトリガ信号ＣＶを受信した後、トリガ信号ＣＶを復号化することで、対応する制御コードを生成する。処理ユニット２１２は、生成した制御コードに基づいて、ルックアップテーブルからメーカーＡに対応する識別コードを選択することができる。次いで、処理ユニット２１２は、選択した識別コードに基づいて、複数の制御指令即ちメーカーＡの識別コードに対応する複数の制御指令から、音量増加を指示するのに用いられる制御指令を選択する。次いで、携帯装置１３０が音量増加の機能を実行できるように、選択した制御指令をブルートゥースモジュール２１１を介して携帯装置１３０に伝送する。これにより、使用者は、無線方式で携帯装置１３０の操作を行えるのみならず、使い慣れたリモコン付イヤホン上の操作ボタンを引き続き使用することができ、本発明の上述したブルートゥース送受信機１１０の使用方法を一から習得することを必要とせず、リモコン付イヤホン１２０をブルートゥース送受信機１１０に挿入接続するだけで旧来の操作習慣に基づいて使用することが可能である。
【００２７】
１つの実施例において、ブルートゥース送受信機１１０は、上述したルックアップテーブルを記憶するのに用いられる記憶ユニット（図示せず）を更に含んでもよい。当業者は、実際の必要に応じて変更を加えることができ、本実施例はルックアップテーブルの実現方式について制限するものではない。
【００２８】
また、本実施例において、コーデックユニット２１３は、集音部１２２から伝送された外部入力音声ＶＳを受信するのに用いられる。外部入力音声ＶＳは、例えば使用者の話し声である。また、コーデックユニット２１３は、ブルートゥースモジュール２１１から伝送されたオーディオ信号（図示せず）を受信するのにも用いられることができる。オーディオ信号は、例えば電話をかけてきた相手の話し声又は音楽である。更に言えば、本実施例において、コーデックユニット２１３が外部入力音声ＶＳ（即ち使用者の話し声）を受信した場合、コーデックユニット２１３は、外部入力音声ＶＳを符号化することによってデジタル音声信号（図示せず）を生成すると共に、生成したデジタル音声信号をブルートゥースモジュール２１１に出力する工程を行う。その後、ブルートゥースモジュール２１１は、携帯装置１３０が内部のデジタル信号処理を行うことで電話をかけてきた相手が使用者の話し声を聞くことができるように、デジタル音声信号を携帯装置１３０に無線伝送する。また、コーデックユニット２１３が携帯装置１３０から伝送されたオーディオ信号を受信した場合、コーデックユニット２１３は、オーディオ信号を復号化することでステレオオーディオ信号を生成すると共に、オーディオ再生を行うように生成したステレオオーディオ信号をリモコン付イヤホン１２０のスピーカ１２１に出力する工程を行う。これにより、使用者は、電話をかけてきた相手の話し声又は聴取しようとする音楽を聴くことができる。
【００２９】
＜ブルートゥース送受信機の他の実施例＞
図３及び図４を併用して説明する。図３は、本発明の他の実施例に係るブルートゥース送受信機の適用を示した図である。図４は、図３の実施例におけるコード巻取部によってリモコン付イヤホンの信号線が収納されることを示した図である。図３に示すように、上述した図１の実施例と異なる点は、ブルートゥース送受信機３１０にコード巻取部３１１が更に設けられていることである。コード巻取部３１１は、使用者が余分なリモコン付イヤホンの信号線１２５をブルートゥース送受信機３１０の本体上に巻回することで、リモコン付イヤホンの信号線１２５を簡単に収納できるようにするのに用いられる。
【００３０】
また、本実施例において、ブルートゥース送受信機３１０には、使用者が簡単にブルートゥース送受信機３１０を着衣又は使用しているリュックサックに固定することができるように、クリップ（図示せず）が更に設けられてもよい。
【００３１】
本実施例において、ブルートゥース送受信機３１０のその他の関連動作の詳細については、上述した図１及び図２の実施例と同一であるため、ここでは詳しい説明を省略する。
【００３２】
＜ブルートゥース送受信機を有するリモコン付イヤホンモジュールの実施例＞
図５を用いて説明する。図５は、本発明の実施例に係るリモコン付イヤホンモジュールを示した図である。リモコン付イヤホンモジュール５１０は、リモコン付イヤホン１２０及びブルートゥース送受信機１１０を含む。ブルートゥース送受信機１１０は、使用者がリモコン付イヤホン１２０を操作した際に生成されたトリガ信号を受信する。ブルートゥース送受信機１１０は、トリガ信号を復号化して制御コードを生成すると共に、ルックアップテーブルに基づいて、制御コードに対応する制御指令を探し出す。次いで、ブルートゥース送受信機１１０は、携帯装置１３０に対応する機能を実行させるように、制御指令を携帯装置１３０に無線伝送する。また、ブルートゥース送受信機１１０は、使用者がリモコン付イヤホン１２０を操作した際に伝送された外部入力音声（即ち使用者の話し声）を受信することで、外部入力音声に対応するデジタル音声信号を生成する。その後、ブルートゥース送受信機１１０は、携帯装置１３０が内部のデジタル信号処理を行うことで電話をかけてきた相手が使用者の話し声を聞くことができるように、デジタル音声信号を携帯装置１３０に出力する。更に、ブルートゥース送受信機１１０は、携帯装置１３０から無線伝送されたオーディオ信号（即ち電話をかけてきた相手の話し声又は使用者が聴取しようとする音楽）を受信して復号化することでステレオオーディオ信号を生成すると共に、オーディオ再生を行うように生成したステレオオーディオ信号をリモコン付イヤホン１２０に出力する。また、本実施例において、ブルートゥース送受信機は、図３の実施例に係るブルートゥース送受信機３１０のように、コード巻取部３１１又はクリップ（図５に表示せず）が別途設けられてもよい。
【００３３】
ブルートゥース送受信機、リモコン付イヤホン及び携帯装置の関連する細部の内容については、上述した図１乃至図４の実施例において詳しく説明したため、ここでは説明を省略する。
【００３４】
＜ブルートゥース送受信機を有する携帯装置モジュールの実施例＞
図６を用いて説明する。図６は、本発明の実施例に係る携帯装置モジュールを示した図である。携帯装置モジュール６１０は、ブルートゥース送受信機１１０、リモコン付イヤホン１２０及び携帯装置１３０を含む。携帯装置１３０はブルートゥース無線通信機能を有する。リモコン付イヤホン１２０のプラグ１２４がブルートゥース送受信機１１０のイヤホンジャック１１１に挿入接続されると、使用者は、リモコン付イヤホン１２０の操作インターフェース１２３を操作することによって、携帯装置１３０を無線操作することができる。また、本実施例において、ブルートゥース送受信機は、図３の実施例に係るブルートゥース送受信機３１０のように、コード巻取部３１１又はクリップ（図６に表示せず）が別途設けられてもよい。
【００３５】
ブルートゥース送受信機、リモコン付イヤホン及び携帯装置の関連する細部の内容については、上述した図１乃至図４の実施例において詳しく説明したため、ここでは説明を省略する。
【００３６】
このように、本発明に係るブルートゥース送受信機、リモコン付イヤホンモジュール及び携帯装置モジュールでは、ブルートゥース送受信機の処理ユニットがルックアップテーブルを照合することにより、トリガ信号に対応する制御指令を出力すると共に、携帯装置に対応する機能を実行させるように、ブルートゥース送受信機のブルートゥースモジュールを介して携帯装置に無線伝送する。そのため、本発明に係るブルートゥース送受信機、リモコン付イヤホンモジュール及び携帯装置モジュールによって、使用者は、有線の束縛から解放されるのみならず、既存のリモコン付イヤホンにおける操作ボタンを引き続き使用することができ、本発明に係るブルートゥース送受信機の使用方法を一から習得することを必要としない。同時に、本発明に係るブルートゥース送受信機は、操作ボタンを設ける必要がないため、従来のブルートゥースメディア受信機に比べて、製造コストが相対的に低い。
【００３７】
上述した図面及び説明は、本発明の実施例を示したものに過ぎず、本発明を制限するものではない。当業者は、上述した説明に基づいて様々な変更及び修正を行うことが可能であり、本発明の特許請求の範囲及び明細書の内容に基づいてなされた簡単な等価の変更及び修正は、いずれも本発明の範囲に含まれる。
【符号の説明】
【００３８】
１１０、３１０  ブルートゥース送受信機
１１１  イヤホンジャック
１１２  電源スイッチ
１２０  リモコン付イヤホン
１２１  スピーカ
１２２  集音部
１２３  操作インターフェース
１２４  プラグ
１２５  信号線
１３０  携帯装置
２１１  ブルートゥースモジュール
２１２  処理ユニット
２１３  コーデックユニット
３１１  コード巻取部
５１０  リモコン付イヤホンモジュール
６１０  携帯装置モジュール
ＣＶ  トリガ信号
ＶＳ  外部入力音声
【図１】
2015139215.tif 000003
【図２】
2015139215.tif 000004
【図３】
2015139215.tif 000005
【図４】
2015139215.tif 000006
【図５】
2015139215.tif 000007
【図６】
2015139215.tif 000008